(57)【要約】【課題】別途部片と組合わせること無く簡単な構造で遠位置からでもマーカーを視認できるようにされた、ゴルフボール用マーカーを提供する。【解決手段】表示面をもつ平板部材２と、この平板部材２に付設される支持軸部片５とで構成され、使用時前記支持軸部片５をグリーン面に押込んだ状態で前記平板部材２が表示面２ａをグリーン面から上側に突出て傾斜保持されるように形成され、遠位置からでも確認容易にされている。【選択図】図２
2007185231.tif 000002
【特許請求の範囲】
【請求項１】
表示面をもつ平板部と、この平板部に付設される支持軸部とで構成され、使用時前記支持軸部を地面に押込んだ状態で前記平板部が表示面を地面から上側に突出て傾斜保持されるように形成されていることを特徴とするゴルフボール用マーカー。
【請求項２】
前記支持軸部は、基端部を前記平板部の背面に突設の取付部で回動可能に連結される構成である請求項１に記載のゴルフボール用マーカー。
【請求項３】
前記支持軸部は、その基端を前記平板部背面で回動規制されて、平板部表示面の傾斜角が規定される構造である請求項２に記載のゴルフボール用マーカー。
【請求項４】
前記支持軸部は、横断面偏平形状にして、その基端部両側に回動用突起が線対称に形成されるとともに、幅方向に弾性変位可能な切込みが軸方向に設けられ、前記平板部の背面には前記支持軸部をスライド可能に受け入れる支持溝部が形成され、その支持溝部の両側面に少なくとも二箇所で前記支持軸部の回転用突起を受け入れる凹所が形成され、前記支持軸部を前記支持溝部でスライドさせて中間の前記凹所に支持軸部の回転用突起を係合させると支持軸部を平板部の背後で起立させて使用可能な姿勢にできる構成である請求項１に記載のゴルフボール用マーカー。
【請求項５】
前記支持軸部は前記平板部の周縁部から半径方向に所要長突出して設けられ、その平板部背面に所要長さの補助支持軸が一体に突設されている請求項１に記載のゴルフボール用マーカー。
【発明の詳細な説明】
【技術分野】
【０００１】
本発明は、ゴルフボール用マーカーに関するもので、詳しくはボール位置を明示するとともに、競技者が次の打球時におけるパッティングラインの読みを容易にするように形成されたゴルフボール用マーカーに関するものである。
【背景技術】
【０００２】
従来、ゴルフ競技において、ゴルフボールがグリーン面に載ったとき、他の競技者に支障を来たさないように飛球の着地位置をマークしておくため、ゴルフボール用マーカーが使用されている。一般に使用されているゴルフボール用マーカーは、円板の片面中央に脚片（差込ピン）が直交して一体に突設された形状にされており、円板表面にはゴルフクラブの標章や名称が表示されたものであり、飛球が着地した位置のグリーン面にその差込ピンを差し込んでマークするようになっている。このほかに、コイン状のマーカーが使用されている。
【０００３】
このようなゴルフボール用マーカーでは、グリーン上において使用されると、そのグリーンの表面とマーカーとが面一の状態になり、カップとゴルフボール用マーカーとの距離が遠い場合、マーカーとグリーン面とが一体化して判別が困難になる。そのため、パッティングラインを読み直す必要が生じるという問題がある。そこで、遠位置からでも支障なくプレーできることを目的とするゴルフボール用マーカーとして、円盤状の頂部部片（基盤部）上に起立する部片をヒンジ部によって連結したり、基盤部上面に溝を設けてこの溝に別途部片を嵌め合わせて起立させるように構成したものが特許文献１によって開示されている。
【０００４】
このほかに、ゴルフボール用マーカーの表示部となる円盤部分に小球体を収容した転動空間部が形成されて、上面に「登り」「下り」を表わす矢印と「フック」「スライス」を示す横線とが交差して表示された透明な蓋体を取付け、使用時にパット位置におけるグリーンの傾きや傾き具合を知ることができるようにされたゴルフボール用マーカーが提案されている（特許文献２参照）。さらに、マーカーの表示部となる円盤部の上面中央に穴が設けられ、この表示部（平板部）の裏面側に突設される差込部片（軸部）の先端を球面状にして、前記平板部上面中央の穴に対して、同形状の別途マーカーの軸部端の球面状部分を嵌め込み、遠位置からでも位置表示が容易なようにするとともに、必要に応じて積重ねたマーカーを傾けることができるようにしたものが特許文献３によって知られている。
【０００５】
【特許文献１】特開２０００−５１４２１号公報
【特許文献２】特開２００１−２８６５９０号公報
【特許文献３】特開２００３−３０５１４４号公報
【発明の開示】
【発明が解決しようとする課題】
【０００６】
しかしながら、前述の先行技術によるゴルフボール用マーカーでは、特許文献１で開示されるものにあっては、マーカー位置の視認効果について従前のものに較べて良くなることは認められるが、表示のためにヒンジ構造を設けることになるので構造的に複雑となって高価になるという問題点がある。また、基盤部に溝を設けてその溝に他の部片を嵌め合わせ組立てるような構成では必ずその溝に嵌り合って起立保持できる部片を用意する必要があることから、利便性が損なわれる。
【０００７】
一方、特許文献２にて開示されるゴルフボール用マーカーでは、基盤となる部位に小球体を収容する空間を設ける上、上面に向きの表示を施した透明蓋体を取り付ける構造であるから、一見便利なようであるが、そのサイズが従来のマーカーと同様にすれば近寄って視認しなければ役に立たない。言換えると遠位置からでは表示がわからず構造的に複雑化するものでもあるので、パット時に認識することにのみ有効で、離れた位置でパッティングラインを読んで次の打順に備えるには役立たないという問題がある。
【０００８】
また、前記特許文献３によって知られるゴルフボール用マーカーでは、複数のゴルフボール用マーカーを使用する必要があり、グリーン面から大きく突き出る状態となるので、他の競技者のボールが近い位置に達している場合、競技の障害となるおそれがある。また、上側に積まれるマーカーの軸部先端とグリーンに突き刺して固定されているマーカーの上面穴との係合が適切でないと積重ねたマーカーがぐらついて安定性を損なうおそれがあるという問題が生じる。
【０００９】
本発明は、このような事情に鑑みてなされたもので、別途部片と組合わせること無く簡単な構造で遠位置からでもマーカーを視認できるようにされた、ゴルフボール用マーカーを提供することを目的とするものである。
【課題を解決するための手段】
【００１０】
前記目的を達成するために、本発明によるゴルフボール用マーカーは、
表示面をもつ平板部と、この平板部に付設される支持軸部とで構成され、使用時前記支持軸部を地面に押込んだ状態で前記平板部が表示面を地面から上側に突出て傾斜保持されるように形成されていることを特徴とするものである（第１発明）。
【００１１】
前記発明において、前記支持軸部は、基端部を前記平板部の背面に突設の取付部で回動可能に連結される構成であるのがよい（第２発明）。また、前記支持軸部は、その基端を前記平板部背面で回動規制されて、平板部表示面の傾斜角が規定される構造であるのが好ましい（第３発明）。
【００１２】
前記第１発明において、前記支持軸部は、横断面偏平形状にして、その基端部両側に回動用突起が線対称に形成されるとともに、幅方向に弾性変位可能な切込みが軸方向に設けられ、前記平板部の背面には前記支持軸部をスライド可能に受け入れる支持溝部が形成され、その支持溝部の両側面に少なくとも二箇所で前記支持軸部の回転用突起を受け入れる凹所が形成され、前記支持軸部を前記支持溝部でスライドさせて中間の前記凹所に支持軸部の回転用突起を係合させると支持軸部を平板部の背後で起立させて使用可能な姿勢にできる構成であるのがよい（第４発明）。
【００１３】
前記第１発明において、前記支持軸部は前記平板部の周縁部から半径方向に所要長突出して設けられ、その平板部背面に所要長さの補助支持軸が一体に突設されているのがよい（第５発明）。
【発明の効果】
【００１４】
本発明によれば、グリーン上で競技者自身の飛球着地位置をマークする際、マーカーの平板部表示面を傾斜させてグリーン上に配置すれば、マーク位置がグリーンのホールから遠く離れた位置であっても、表示面がグリーン面から突出した状態であるので、競技者がマーク位置を読み取り易くなる。したがって、パッディングラインを読むのが容易になって競技成績の向上に寄与するという効果を奏する。なお、マーカーの平板部がグリーン面から突出すといっても僅かな寸法であるから、他の競技者への障害となることもない。
【００１５】
そして、平板部に対して支持軸部を回動可能に連結しておけば、使用前の時点で支持軸部を平板部の背面に沿うように畳むことができるので、持ち歩くのに嵩低くできるという利点がある。また、支持軸部と平板部との連結箇所での回動範囲を特定しておけば、支持軸部に対して平板部の回動角が自動的に設定されることになり、使用時に表示面を一定の傾斜状態にすることができる。
【００１６】
また、第４発明の構成を採用すれば、支持軸部を平板部の背面により近接して畳むことができ、嵩張らないので携帯に便利であるという利点がある。さらに第５発明の構成を採用すれば、全体的に固定の構造であるが、補助支持軸の先端をグリーン面にあてがって支持軸部を差し込めば、平板部の表示面を傾斜させる角度が容易に定まると同時に、マーカー自体が安定保持されるという効果が得られる。しかも、構造的に単純であるので成型加工も容易であり、安価に提供することができる。
【発明を実施するための最良の形態】
【００１７】
次に、本発明によるゴルフボール用マーカーの具体的な実施の形態について、図面を参照しつつ説明する。
【００１８】
（第１実施形態）
図１には、本発明の第１実施形態に係るゴルフボール用マーカーの拡大側面図（ａ）と同図（ａ）の一部断面で表わすａ−ａ視図（ｂ）が、図２にはマーカーの使用状態を表わす図が、それぞれ示されている。
【００１９】
この実施形態のゴルフボール用マーカー１（以下、単に「マーカー１」という）は、所要直径の平板部材２（本発明の「平板部」に相当、以下同様）と、この平板部材２の背面中央に突設された取付部片３に基端を係合させて連結する支持軸部片５（本発明の「支持軸部」に相当、以下同様）とで構成されている。
【００２０】
前記平板部材２は、例えば直径が約２０ｍｍで、肉厚が約２ｍｍの偏平な円盤状のものであり、表示面２ａは平面にして必要に応じて標章などが印字されている。また、背面中央に突設される取付部片３（本発明の「取付部」に相当、以下同様）は、扁平で先端部が円弧面を有する形状にされ、両側面の各中央位置に半球状の突起４，４が対称に設けられ、プラスチックで形成されている。
【００２１】
一方、前記支持軸部片５は、適宜長さ（例えば１６ｍｍ程度の長さ）で基端部５ａから先端５ｂに向かって次第に細くなる断面円形の棒体で、先端５ｂを半球面に形成されている。そして、基端部５ａは平坦面にして中央に前記平板部材２と一体の取付部片３が嵌り合う幅で切込み６が設けられ、その切込み６に直交して前記取付部片３に設けられた突起４，４が嵌合する支持孔７が貫通形成されている。この支持軸部片５もプラスチックで形成されている。
【００２２】
このように形成される平板部材２と支持軸部片５とは、平板部材２の取付部片３を図１（ｂ）で示されるように、支持軸部片５の切込み６に嵌め合わせ、取付部片３の両側面の突起４，４をその支持軸部片５に設けられた支持孔７，７に嵌め込んで連結される。こうすることにより平板部材２に対して支持軸部片５が支持孔７，７に嵌った突起４，４を軸として回動できる状態とされる。なお、支持孔７と突起４との係合は、支持軸部片５の切込み６部分でその両側が外側に弾性変形して支持孔７，７に突起４，４を受け入れることにより連結される。また、この突起４と支持孔７とによる枢支位置から支持軸部片５の基端部５ａ端面の一部が、支持軸部片５を回動変位させた際に、平板部材２における取付部片３の根元部に当接して回動範囲を規制するように枢支点とその支持軸部片５基端面との寸法関係を設定しておけば、このマーカー１の使用に際し平板部材２の表示面２ａの傾斜角（例えば４５°）を設定することが容易である。
【００２３】
このように構成されるマーカー１は、通常時は支持軸部片５を平板部材２に対して直立した状態で、例えば公知のマーカーホルダ（図示せず）などに支持軸部片５を嵌めて携行する。使用時には、図２に示すように、枢支部を基点として平板部材２を傾斜させ、競技者がショットしたボールのグリーン上の着地点に、支持軸部片５を差し込んでマーカー１を配置する。この際マーカー１の傾斜した平板部材２の表示面２ａがグリーン上のホールに向かうパッティングラインを読むに適した向きとなるようにして配置するのが好ましい。こうしておくと、競技者自身の打順が回ってきたとき、ホールから遠く離れた位置であっても、マーカー１の位置から離れてパッティングラインを定めるとき、表示面２ａがグリーン面から突き出た状態で位置しているので、目標を定め易く安心感が得られて好成績を得ることが期待できる。
【００２４】
なお、マーカー１が表示面２ａをグリーン面から突出した状態で配置されるとしても僅かな高さであるから、他の競技者の競技に妨げとなることはない。また、マーカー１の表示面２ａを傾斜させずに使用する場合は、支持軸部片５を平板部材２に対して直立状態としておけば、従来のマーカーと同様にして使用することができる。
【００２５】
（第２実施形態）
図３には、第２実施形態のマーカーの拡大側面図（ａ）と支持軸部片の連結要部を表わす同図（ａ）のｂ−ｂ視図（ｂ）が示されている。
【００２６】
この第２の実施形態によるマーカー１Ａは、前記第１実施形態のマーカー１と基本構成が同様であり、連結部の構造が異なるものである。したがって、その異なる構造部分を中心に説明し、前記実施形態と同じ部分については、前記実施形態と同一の符号を付して説明を省略するものとする。
【００２７】
平板部材２と支持軸部片５Ａとの連結部は、平板部材２側に突設される取付部片３Ａの先端部３ａが球面状にされている。対する支持軸部片５Ａの基端部５ａ′は、少なくとも取付部片３Ａの先端球面状部分が受け入れられる深さにして球面を持つ凹部８が軸心線上に形成され、その凹部８を二分するようにして切込み６が形成されている。こうした支持軸部片５Ａの基端部５ａ′の凹部８に対して平板部材２側の取付部片３Ａにおける先端３ａ球面状部を圧入して連結され、支持軸部片５Ａと平板部材２とが可動的に連結した構造とされている。また、前記平板部材２の取付部片３Ａと支持軸部片５Ａとの連結部においては、両者の先端部３ａと凹部８が切込み６を両側に押し開いて球面状部分でいわゆる無理嵌めにより回動変位可能に連結されているので、外れることなく連結され、使用時に支障を来たすことがない。
【００２８】
この実施形態のマーカー１Ａは、前記連結部において支持軸部片５Ａに対して平板部材２が傾斜変位自在になっている。したがって、使用時には、前記実施形態と同様にして使用することができる。
【００２９】
（第３実施形態）
図４には第３実施形態のマーカーの拡大縦断面図（ａ）と支持軸部片を畳んだ状態を表わす平面図（ｂ）が示されている。図５には平板部材と支持軸部片との分解図が示されている。
【００３０】
この実施形態のマーカー１Ｂは、円形をした平板部材２Ｂの背面にその中心を横断して長方形の取付部片１０が一体に形成され、この取付部片１０に設けられる一端を閉じた溝部１１に、支持軸部片５Ｂがスライドして収納できるように形成されている。そして、前記支持軸部片５Ｂは溝部１１内から引き出して基端部５ｄを中央位置に移動させると平板部材２Ｂの背面で起立できるように構成されている。もちろん、平板部材２Ｂの表示面２ａは傾斜させて使用することができる。
【００３１】
前記平板部材２Ｂは、表示面２ａを平坦にして必要に応じ標章などを描くことができる。その背面側に設けられる取付部片１０は、支持軸部片５Ｂを保持できる幅寸法の溝部１１が形成できる立方体にされ、その溝部１１は一端を閉じて他端を開放した形状であり、この溝部１１の両側面１１ａ，１１ａには中央位置（平板部材２Ｂの中央位置に相当する）と、溝部１１の閉鎖側１１ｃと、反対の開放側１１ｄとの各位置でそれぞれ相対向箇所に球面状の凹所１２が設けてある。また、その取付部片１０の溝部１１における前記中央位置の凹所１２ａと閉鎖側位置の凹所１２ｂとが設けられた区間で、中央寄りの上縁部には、収容される支持軸部片５Ｂの外れ止めとなる突片１３，１３が内向きに対向して形成されている。
【００３２】
一方前記支持軸部片５Ｂは、適宜肉厚の偏平なもので、図５で示されるように、前記取付部片１０の溝部１１に嵌り込む幅寸法にされ、先端側を尖らせた形状にされ、基端部５ｄには長手軸方向に適宜間隔で二条の切込み１５，１５が設けられている。そして、その基端部５ｄの幅方向の両側面には前記取付部片１０における溝部両側面１１ａ，１１ａの凹所１２，１２ａ，１２ｂに係合する半球形の突起１６，１６が線対称に設けてあり、溝部１１に嵌って強くスライドさせるとその突起１６，１６が、前記切込み１５，１５部分で突起１６，１６付設部分の弾性変形によって凹所１２ｂ（１２ａ）から外脱し、かつ凹所１２ｂ（１２ａ）に達すると嵌り合うようにされている。また、中央位置の凹所１２ａに前記突起１６が係合すると、その係合箇所で回動して支持軸部片５Ｂを平板部材２Ｂの背後において起立させることができるようになっている（図４（ａ）参照）。なお、前記支持軸部片５Ｂの収納時上向く片面には、中間位置でスライド操作容易なように滑り止めを形成された指掛突起１７が設けられている。これら平板部材２Ｂおよび支持軸部片５Ｂはプラスチックで成型したものが用いられる。
【００３３】
このように構成されるマーカー１Ｂは、携帯時には支持軸部片５Ｂを平板部材２Ｂ側の取付部片１０における溝部１１内に収容しておく（図４（ｂ）参照）。こうすると全体が偏平になり嵩張らない。使用時には前記取付部片５Ｂの溝部１１に収容されている支持軸部片５Ｂを、上面に設けられている指掛突起１７に指をかけて、その溝部１１の開放側１１ｄに向けスライドさせると、突起１６，１６が凹所１２ｂ、１２ｂとの係合を解かれて手前側にスライドして引き出される（図４に二点鎖線ｄで表わす）。そこで、支持軸部片５Ｂは、基端部５ｄ両側の突起１６，１６が取付部片１０の中央位置の凹所１２ａ，１２ａに係合しているので、そのまま先端部から引き起こすと、前記突起１６，１６と中央位置の凹所１２ａ，１２ａとの係合部を支点として起立される。したがって、平板部材２Ｂを所要角度に傾斜させてグリーン上の飛球着地位置にボールに代えて支持軸部片５Ｂ先端を差し込んでマークすればよい。なお、平板部材２Ｂは起立した支持軸部片５Ｂに対して溝部１１の内向きに突片１３，１３が設けられているので、この突片１３，１３と反対の方向にのみ回動可能である。
【００３４】
また、このマーカー１Ｂは、表示面２ａを傾斜させないで使用する場合、支持軸部片５Ｂが平板部材２Ｂと直交する姿勢にすれば、在来のマーカーと同様に使用でき、この際には前記突片１３，１３にて支持軸部片５Ｂの基端部５ｄをあてがうようにすることでその支持軸部片５Ｂの起立姿勢が維持できる。なお、使用後支持軸部片５Ｂを畳むには、前記起立の操作と逆に操作することで溝部１１に収容できる。
【００３５】
（第４実施形態）
図６には第４実施形態のマーカーの拡大平面図が、図７にはマーカーの使用状態を表わす図が、それぞれ示されている。
【００３６】
この実施形態のマーカー１Ｃは、平板部材２Ｃと支持軸部片５Ｃおよび補助支持軸部片１８とが一体に形成された構成のものである。図６で示されるように、所要外形寸法の円形をした平板部材２Ｃの周縁部２ｄに、半径方向に所要長さ寸法で支持軸部片５Ｃが延長突出して設けられ、かつこの平板部材２Ｃの背面中央に所要長さで補助支持軸部片１８が直立形成されたものである。なお、平板部材２Ｃの表示面２ａに表しているのは図形の一例である。
【００３７】
このように形成されるマーカー１Ｃは、使用時、図７で示されるように、平板部材２Ｃの周縁部２ｄから突出す支持軸部片１８をグリーン面Ｇに突き刺して背後の補助支持軸部片１８の先端をグリーン面Ｇにあてがうように配置すれば、表示面２ａが傾斜して安定保持されるものである。在来のマーカーと同様な使用に際しては、補助支持軸部片１８をグリーンに突き刺すことにより目的を達成することができる。この際、支持軸部片５Ｃは平板部材２Ｃとともに横向きになるので支障を来たすことはない。また、使用しない場合には、在来のマーカーと同様に取扱うことができる。
【００３８】
上述したように、本発明に係るマーカーは、表示面を傾斜させて使用できる構成とされているので、グリーン上での使用にあたり、競技者がパッティングラインを読む際の指標として有効に機能するものであるといえる。
【図面の簡単な説明】
【００３９】
【図１】本発明の第１実施形態に係るゴルフボール用マーカーの拡大側面図（ａ）と同図（ａ）の一部断面で表わすａ−ａ視図（ｂ）
【図２】マーカーの使用状態を表わす図
【図３】第２実施形態のマーカーの拡大側面図（ａ）と支持軸部片の連結要部を表わす同図（ａ）のｂ−ｂ視図（ｂ）
【図４】第３実施形態のマーカーの拡大縦断面図（ａ）と支持軸部片を畳んだ状態を表わす平面図（ｂ）
【図５】平板部材と支持軸部片との分解図
【図６】第４実施形態のマーカーの拡大平面図
【図７】マーカーの使用状態を表わす図
【符号の説明】
【００４０】
１，１Ａ，１Ｂ，１Ｃ    マーカー
２，２Ｂ，２Ｃ    平板部材
２ａ    表示面
３，３Ａ，１０    取付部片
３ａ    取付部片の先端部
４    突起
５，５Ａ，５Ｂ，５Ｃ    支持軸部片
５ａ′    支持軸部片の基端部
６，１５    切込み
７    支持孔
８    凹部
１１  溝部
１２，１２ａ，１２ｂ    溝部側面の凹所
１３    突片
１８    補助支持軸部片
【図１】
2007185231.tif 000003
【図２】
2007185231.tif 000004
【図３】
2007185231.tif 000005
【図４】
2007185231.tif 000006
【図５】
2007185231.tif 000007
【図６】
2007185231.tif 000008
【図７】
2007185231.tif 000009